【手続補正書】
【提出日】平成27年9月18日(2015.9.18)
【手続補正１】
【補正対象書類名】特許請求の範囲
【補正対象項目名】全文
【補正方法】変更
【補正の内容】
【特許請求の範囲】
【請求項１】
入力を受け取って値を調整するための方法であって、
グラフィカル表示上で、ユーザにより書かれたテキストでドキュメントを生成するステップと、
コンピュータファイルとして前記ドキュメントを格納するステップと、
前記グラフィカル表示上で前記ドキュメント内で値を表示するステップと、
前記ドキュメント内でいつ値が選択されたのかを決定するステップと、
前記ドキュメント内で選択された前記値を編集することを決定したことに応答して、ユーザーインターフェース要素内で、離散値から決定される前記ドキュメント内で選択された前記値を調整するためのスワイプジェスチャとともに使用されるインジケーターを表示するユーザーインターフェース要素を表示するステップと、
前記ユーザーインターフェース要素において前記離散値を調整するスワイプジェスチャを受け取るステップと、
前記スワイプジェスチャを受け取りながら、前記スワイプジェスチャに応答して、前記ユーザーインターフェース要素の前記表示を新しい値に調整するステップと、
前記ドキュメント内で選択された前記値を前記ユーザ-インターフェース要素からの前記新しい値と置き換えるステップとを含む、方法。
【請求項２】
前記ユーザーインターフェース要素を表示するステップは、前記ドキュメント内で選択された前記値の表示の上に取り得る値を有する前記ユーザーインターフェース要素を表示するステップを含む、請求項１に記載の方法。
【請求項３】
前記ユーザーインターフェース要素を表示するステップは、前記ドキュメント内で選択された前記値の表示の上に取り得る値を有しており、異なるレベルで設定することができる前記ドキュメント内で選択された前記値の各部分について取り得る値を表示するステップを含む、請求項１に記載の方法。
【請求項４】
前記ドキュメント内で選択された前記値は１部分以上を有し、前記スワイプジェスチャを受け取るステップは、前記ドキュメント内で選択された前記値の各部分に対するレベルを表示するステップと、前記スワイプのレベルの１つを決定するステップと、前記スワイプの前記レベルの１つに対応する前記ドキュメント内で選択された前記値の部分を調整するステップとを含む、請求項１に記載の方法。
【請求項５】
前記取り得る値を表示するステップは、前記取り得る値の前記表示の下に配置される前記表示の部分が可視状態に留まるように、前記取り得る値をアルファブレンディングとして表示するステップを含む、請求項３に記載の方法。
【請求項６】
前記ユーザーインターフェース要素の前記表示を前記スワイプジェスチャに応答して前記新しい値へ調整するステップは、前記ユーザーインターフェース要素において最初に表示された離散値から現在のスワイプ位置までの距離を決定するステップと、前記位置が遠くなるのに応答して前記ユーザーインターフェース要素において前記最初に表示された離散値の変化の速度を調整するステップとを含む、請求項１に記載の方法。
【請求項７】
前記値と関連するカテゴリの種類を決定するステップと、決定されたカテゴリの種類に基づいて前記ドキュメント内で選択された前記値を調整するステップをさらに含む、請求項１に記載の方法。
【請求項８】
前記スワイプジェスチャを受け取るステップは、前記ドキュメントにおいて選択された前記値を調整するために、前記ドキュメントにおいて選択された前記値の表示の近くの前記表示に沿って指のスライドを検出することを含むタッチジェスチャを受け取るステップを含む、請求項１に記載の方法。
【請求項９】
インプレースで値を編集するためのコンピューター実行可能命令を格納するコンピューター可読記憶媒体であって、前記コンピューター実行可能命令は、
グラフィカル表示上でユーザにより書かれたテキストでドキュメントを生成するステップと、
コンピュータファイルとして前記ドキュメントを格納するステップと、
グラフィカル表示上で前記ドキュメント内で値を表示するステップと、
前記ドキュメント内でいつ値が選択されたのかを決定するステップと、
前記ドキュメント内で前記値を選択することを決定したことに応答して、前記ドキュメント内で選択された前記値の前記選択をグラフィックで表示し、かつ取り得る値を表示し、そしてユーザーインターフェース要素において離散値から決定される前記ドキュメント内において選択される前記値を調整するためのスワイプジェスチャを受け取るように構成されるユーザーインターフェース要素を表示するステップと、
前記ユーザーインターフェース要素において前記離散値を調整するスワイプジェスチャであるタッチ入力を受け取るステップと、
前記スワイプジェスチャを受け取りながら、前記ユーザーインターフェース要素の前記表示を前記スワイプジェスチャに応答して新しい値へ調整するステップと、
前記ドキュメント内で選択された前記値を、前記ユーザーインターフェース要素からの前記新しい値と置き換えるステップと
を含む、コンピューター可読記憶媒体。
【請求項１０】
前記取り得る値を表示するステップは、前記ユーザーインターフェース要素の前記表示上の異なる配置で前記ドキュメントにおいて選択された前記値の各部分に対して取り得る値を表示するステップを含む、請求項９に記載のコンピューター可読記憶媒体
【請求項１１】
前記ドキュメント内で選択された前記値は１部分以上を有し、前記スワイプジェスチャを受け取ることは、前記ドキュメント内で選択された前記値の各部分に対するレベルを表示し、前記スワイプジェスチャのレベルの１つを決定し、前記スワイプのレベルの前記１つに対応する前記ドキュメント内で選択された前記値の部分を調整することを含む、請求項１０に記載のコンピューター可読記憶媒体。
【請求項１２】
前記取り得る値を表示することは、前記取り得る値の前記表示の下に配置される前記表示の部分が可視状態に留まるように、前記取り得る値をアルファブレンディングとして表示することを含む、請求項１０に記載のコンピューター可読記憶媒体。
【請求項１３】
前記ユーザーインターフェース要素の前記表示を前記スワイプジェスチャに応答して前記新しい値へ調整するステップは、前記ユーザーインターフェース要素において最初に表示された離散値から現在のスワイプ位置までの距離を決定するステップと、前記位置が遠くなるのに応答して前記ユーザーインターフェース要素における前記最初に表示された離散値の変化の速度を調整するステップとを含む、請求項９に記載のコンピューター可読記憶媒体。
【請求項１４】
１つのセル、及び前記選択された値の近くのまわりのセルのうち少なくとも１つにより分析される前記ドキュメントにおいて選択された前記値に関連するカテゴリの種類を決定するステップをさらに含む、請求項９に記載のコンピューター可読記憶媒体。
【請求項１５】
インプレースで値を編集するための装置であって、
タッチ入力を受け取るように構成されるディスプレイと、
プロセッサーおよびメモリーと、
前記プロセッサーを使用して実行する動作環境と、
変更することができる値を含むアプリケーションと、
前記アプリケーションと連結して動作するユーザーインターフェースマネージャーであって、
前記ディスプレイ上にユーザにより書かれたテキストでドキュメントを生成するステップ、
前記ドキュメントをコンピュータファイルとして格納するステップ、
前記ディスプレイ上に前記ドキュメント内で値を表示するステップ、
前記ドキュメント内でいつ前記ディスプレイ上の値が選択されたのかを決定するステップ、
前記ドキュメント内で前記値を選択することを決定したことに応答して、前記ドキュメント内で選択された前記値の前記選択をグラフィックで表示し、かつ前記値の各分離部分について取り得る値のレベルを表示し、そして前記ユーザーインターフェース要素において離散値から決定される前記ドキュメントにおいて選択された前記値を調整するためのタッチ入力を受け入れるように構成されるユーザーインターフェース要素を表示するステップ、
前記ユーザーインターフェース要素において前記離散値を調整するタッチ入力を受け取るステップ、
前記スワイプジェスチャを受け取りながら、前記ユーザーインターフェース要素の前記表示を調整して、現在選択されている取り得る値を示すステップ、および
前記ドキュメントにおいて選択された前記値を、現在選択されている取り得る値と置き換えるステップを含む動作を実施するように構成される、ユーザーインターフェースマネージャーと
を含む、装置。
【請求項１６】
前記ユーザーインターフェース要素を表示するステップは、前記ユーザーインターフェース要素の前記表示の下に配置される前記表示の部分が、可視状態に留まるように、前記ユーザーインターフェース要素をアルファブレンディングとして表示するステップを含む、請求項１５に記載の装置。
【請求項１７】
前記スワイプジェスチャに応答して、前記ユーザーインターフェース要素の前記表示を調整することは、前記現在選択されている取り得る値を示すために、前記ユーザーインターフェースエレメントにおいて前記現在選択されている取り得る値から現在のスワイプ位置までの距離を決定し、前記位置が遠くなるのに応答して、前記ユーザーインターフェース要素における前記現在選択されている取り得る値の変化の速度を調節することを含む、請求項１５に記載の装置。
【請求項１８】
前記ユーザーインターフェース要素内に表示するために取り得る値を決定するよう、前記ドキュメントにおいて選択される前記値の近くでドキュメントのコンテンツを分析するステップをさらに含む、請求項１５に記載の装置。
【請求項１９】
値を調整するために入力を受け取るためのシステムであって、
タッチ入力を受け取るように構成されるディスプレイと、
プロセッサーおよびメモリーと、
前記プロセッサーを使用して実行する動作環境と、
ドキュメントを生成しファイルとして格納するためのアプリケーションであって、前記ドキュメントはユーザにより書かれたテキスト及び変更することができる値を含む、アプリケーションと、
前記アプリケーションと連結して動作するユーザーインターフェースマネージャーであって、
ディスプレイ上に値を表示するステップと、
前記ディスプレイ上の値がいつ選択されたのかを決定するステップ、
前記選択された値を編集するために決定したことに応答して、ラインの一部が前記選択された値の１つの側に現れ、前記ラインの他の部分が前記選択された値の他の側に現れるようラインを表示するステップと、
前記選択された値を調整するためにスワイプジェスチャを受け取るステップと、
前記スワイプジェスチャを受け取りながら、前記選択された値を新しい値へ調整するために前記ラインに沿って移動するステップと、
前記選択された値を、前記新しい値と置き換えるステップと、
を含む動作を実施するよう構成される、ユーザーインターフェースマネージャーと
を含む、装置。
【請求項２０】
前記選択された値を調整するために前記ラインに沿って移動するステップは、前記ラインに沿って前記選択された値そのものが移動するステップを含む、請求項１９記載のシステム。